(57)【要約】【課題】季節或いは天候の変化に対応可能な身体防護用品を常備し、必要に応じて所望の身体防護用品を提供しようとするものである。【解決手段】身体防護用品において、異なる素材の上記身体防護用品も、一体でコンパクトにジャバラ状に折り畳み、複合型にすることによって、上記諸条件に対し常備し易くなる。【選択図】図１
2008308805.tif 000002
【特許請求の範囲】
【請求項１】
形状を、復元可能な折り方とし、コンパクトに畳むことが出来、常備し易くしたこと特徴とする身体防護用品
【請求項２】
異なる素材を一体装備して、必要に応じて所望の素材或いは、異なる素材も一緒に重ねて使用が可能なオンデマンド方式を特徴とする請求項１に記載の身体保護用品。
【請求項３】
ジャバラ折りの形成ラインの長さとライン数を変えることによって、全く異なる機能を造形することが可能な請求項１、或いは請求項２に記載の身体防護用品。
【請求項４】
上記、身体防護用品は、帽子又は、二輪車用ハンドルカバーであることを特徴とする請求項１乃至３に記載の身体防護用品。
【請求項５】
帽子或いはサンバイザーにおいて、つばを２枚装備し、１枚は可動にして顔面の防護をも可能にする、複合型つばを特徴とする身体防護用品。
【請求項６】
つばを可動式として、可動しようとするつばの両端と、ヘッドバンドの接合部に一対の脱着式粘着マジックテープを装着、これらによってつばの角度等を変えられる、可動出来ることを特徴とする請求項５に記載の身体防護用品。
【発明の詳細な説明】
【技術分野】
【０００１】  本発明は、季節或いは天候の状況に対応する身体防護用品に関するもので、詳しくは、必要に応じて所望の素材の身体防護用品を使用することが出来る、オンデマンド方式の折り畳み身体防護用品に関するものである。
【背景技術】
【０００２】  従来、帽子、サンバイザーもしくは、二輪車用ハンドルカバー等を使用する場合、季節或いは天候によって身体防護用品を必要としたり、不要であったり、急な天候の変化に対し所望の素材の防護用品を使用することが困難な場合もあった。
【発明の開示】
【発明が解決しようとする課題】
【０００３】  そのため、季節或いは、天候を予想しながら、予め異なる素材の身体防護用品を別途所持するしかなかった。【０００４】  本発明の目的は、従来の身体防護用品の有する上記問題を解決し、異なる素材の身体防護用品も一体として、常備し易くした。オンデマンド方式の身体防護用品を提供しようとするものである。
【議題を解決するための手段】
【０００５】  上記課題を解決するため、本発明は、帽子或いは二輪車用ハンドルカバー等の身体防護用品をジャバラ状に折り畳んだ形態で、帽子のつば又は、ハンドルに装着されており、使用時に手で開いて、帽子或いはハンドルカバーとして機能する造形に創作するものである。
【０００６】  従来市販されている帽子、又はハンドルカバーにおいては、異なる素材の帽子或いはハンドルカバーを一体で折り畳んで、帽子のつば、ハンドルカバーに装着した例はなかった。
【０００７】  しかし本発明において、異なる素材の身体防護用品を常時折り畳んで一体装着なり、複合型装備によって、防寒、雨天もしくは日光の強い紫外線に対し、必要に応じて所望の素材或いは複合装備の機能を利用でき、変化する諸条件に対し実用上簡便となる。
【発明の効果】
【０００８】  身体防護用品を使用する場合において、それを使い分けて所持することが出来ても、常時一体で装備することは出来なかった。
【０００９】  しかし、本発明の身体防護用品においては、コンパクトにジャバラ状に折り畳み、複合装備することによって、上記防護用品を常備し易くなり、防護上大きな効果が期待できる。
【発明を実施するための最良の形態】
【００１０】  本発明は、身体防護用品をジャバラ状に折り畳んで常備し、使用時は開いて身体防護用品として機能する形態を保持し、再び折り畳むと、元の折り畳み形態を復元する折りぐせを具備した身体防護用品を造形するものである。【００１１】  上記、身体防護用品に於けるジャバラ状の折りぐせは、山折り、そして谷折りのラインを一枚、或いは貼り合わせたシート素材に形成することで、ジャバラ状形態の身体防護用品が造形される。【００１２】  上記、ジャバラ状の折りぐせは、使用する素材によって加工方法が異なり、ミシン縫い、溶着或いは貼り合わせ等が有効である。【００１３】  全く同じ加工方法により、外形と山折り、谷折りのラインの長さ、或いはライン数を変えることで、全く異なる機能を持つ身体防護用品を造形することが出来る。その具体例とし、帽子、二輪車用ハンドルカバーが挙げられる。【００１４】  上記、ハンドルカバーでは、ハンドルに固定するための別製のベルトを装着させている。又、ジャバラの形態は、取付け上ハンドルに跨るように造形するのが最適である。
【実施例１】
【００１５】  帽子に応用した例とし、帽子（ａ）を創作しようとするシート素材の平面である図１の（１）は、ジャバラ状の折りぐせとなる山折りと谷折りのラインが形成された図を示し、中心線Ａ−Ａ′で上下、全く対称となっている。従って、シートの外形、曲げ位置及び折りぐせを表す各ラインの数字符号、３乃至１８と３′乃至１８′は対称になっている。又１，２は共通ラインとなる。【００１６】  上記、山折り形成ラインは、１と２、３乃至７と３′乃至７′、及び１１乃至１６と１１′乃至１６′である。又、谷折り形成ラインは、８乃至１０と８′乃至１０′及び１７乃至１９と１７′乃至１９′である。【００１７】  図１の（２）は図１の（１）の素材の素材シートを、中心線Ａ−Ａ′で折り曲げた図を示している。【００１８】  図１の（３）は図１の（２）の形態を、中心線Ａ′からＡに向かって押しつぶす様に折り畳んだ形態を、更にＡからＡ′に向かって見た図を示す。【００１９】  図２の（１）は図１の（２）の形態における帽子（ａ）を、斜線で記した別製のつば（ｃ）の接合部（ｄ）に接合したものである。従って、帽子（ａ）として機能する造形となったことを示す。【００２０】  図２の（２）は、帽子（ａ）と異なる素材で造形された帽子（ａ′）がジャバラ状に折り畳まれた状態で、つば（ｃ）の接合部（ｄ）に帽子（ａ）と一体で装着された図を示す。【００２１】  図２の（３）は、図１の（３）と同様にジャバラ状に折り畳まれた帽子（ａ）をつば（ｃ）の側から見た図を示す。
【実施例２】
【００２２】  第２の実施例は、一般的に二輪車用ハンドルカバーと呼ばれるものに、本発明を適用したもので、実施例１と全く同じ加工方法でハンドルカバー（ｂ）を造形したものである。この場合造形上、図１の（２）における１１乃至１９と１１′乃至１９′のラインは不要である。尚、図１に示した様な形態図に関して、ハンドルカバー（ｂ）では省略されている。【００２３】  図３の（１）は、ハンドルカバー（ｂ）に別製の取付け用ベルト（ｅ）を装着した後、斜線で表示したハンドル（ｆ）に固定したものである。【００２４】  図３の（２）は、異なる素材で造形されたハンドルカバー（ｂ′）をハンドル（ｆ）にハンドルカバー（ｂ）と一体で固定したものである。【００２５】  図３の（３）は、ハンドルカバー（ｂ）をジャバラ状に折り畳んで、ハンドル（ｆ）に跨るように固定し、この状態をハンドル（ｆ）から見た図を示す。
【産業上の利用の可能性】
【実施例３】
【００２６】  図４−（１）は、帽子或いはサンバイザーのつばを示す。つば（Ｂ１）はヘッドバンドに固定し、つば（Ｂ２）の両端は、それぞれ左右に配置された可動部分図４−（２）に複合装着されている。図４−（３）は図４−（２）の側面図を示す。上記可動部分においては、ヘッドバンド（ｈ）のマジックテープのループ材（ｋ）を張り合わせた箇所に、貫通する可動用穴（ｌ）を形成し、つば（Ｂ２）に可動軸（ｊ）で固定され、可動用穴（Ｉ）に挿入されている。又、可動軸（ｊ）の先端には、つまみ（ｉ）が装着されている。更につまみ（ｉ）には、上記ループ材（ｋ）に対面して，マジックテープのフック材（ｋ′）が張り合わせてある。マジックテープ（ｋ、ｋ′）は一対の脱着式粘着材である。従がって、ヘッドバンド（ｈ）とつば（Ｂ２）は通常、粘着接合されている。
つば（Ｂ２）を可動する場合、手で左右のつまみ（ｉ）をヘッドバンド（ｈ）から引き離して、可動用穴（ｌ）の範囲内での可動とつば（Ｂ２）の角度を変えることが出来る最も簡便な方法である。【００２７】  本発明の身体防護用品において、異なる素材の上記身体防護用品も、一体でコンパクトに折り畳み、複合型にして常備し、季節或いは天候の異なる諸条件に対し、必要に応じて所望の対応が出来るならば、多くの身体防護用品が、本発明によって常備し易くなる。
【図面の簡単な説明】
【００２８】
【図１】本発明の帽子のジャバラ折り形態図
【図２】本発明の帽子の造形図
【図３】本発明の二輪車用ハンドルカバーの造形図
【図４】本発明の帽子或いは、サンバイザーのつばの複合形態図
【符号の説明】
【００２９】１、２、………………………………………………………山折り曲げライン
３、４、５、６、７、３′、４′、５′、６′、７′…山折り折りぐせライン
８、９、１０、８′、９′、１０′………………………谷折り折りぐせライン
１１、１２、１３、１４、１５、１６、…………………山折り折ぐせライン
１１′、１２′、１３′、１４′、１５′、１６′、…同上
１７、１８、１９、１７′、１８′、１９′……………谷折り折りぐせライン
Ｂ１、Ｂ２、…………………………………………………サンバイザーのつば
ａ………帽子造形図        ｂ………ハンドルカバー      ｃ………帽子のつば
ｄ………つば接合部        ｅ………取付けベルト        ｆ………ハンドル
ｇ………ハンドルクリップ  ｈ………ヘッドバンド        ｉ………つまみ
ｊ………可動軸        ｋ、ｋ′……一対の粘着式マジックテープ  ｌ……可動用穴
【図１】
2008308805.tif 000003
【図２】
2008308805.tif 000004
【図３】
2008308805.tif 000005
【図４】
2008308805.tif 000006